【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
送信機会（ＴＸＯＰ）の始めに第１のメッセージを送信することと、ここにおいて、前記第１のメッセージが、前記ＴＸＯＰ内の固定された送信持続時間を示し、第１のデータレートで送信される第１の部分と、前記第１のデータレートよりも高い第２のデータレートで送信される第２の部分とを備える、
前記第１のデータレートで終了メッセージを送信することと、ここにおいて、前記終了メッセージが、送信可（ＣＴＳ）メッセージまたは肯定応答（ＡＣＫ）メッセージを備える、
を備えるワイヤレス通信の方法。
【請求項２】
前記終了メッセージを送信するより前に第２のメッセージを受信すること
をさらに備える、請求項１に記載の方法。
【請求項３】
前記第２のメッセージが、前記第１のデータレートで送信される第３の部分と、前記第１のデータレートよりも高い第３のデータレートで送信される第４の部分とを備える、請求項２に記載の方法。
【請求項４】
前記終了メッセージを前記終了メッセージの送信機にアドレス指定すること
をさらに備える、請求項１に記載の方法。
【請求項５】
前記終了メッセージを前記送信機会の最新の受信側にアドレス指定すること
をさらに備える、請求項１に記載の方法。
【請求項６】
前記終了メッセージをグループアドレスにアドレス指定すること
をさらに備える、請求項１に記載の方法。
【請求項７】
前記終了メッセージをランダムアドレスにアドレス指定すること
をさらに備える、請求項１に記載の方法。
【請求項８】
前記第１のメッセージがアグリゲート・メディアアクセス制御パケット・データ・ユニット（Ａ−ＭＰＤＵ）を備え、前記第１の部分が前記Ａ−ＭＰＤＵのプリアンブルを備え、前記第２の部分が前記Ａ−ＭＰＤＵのＭＰＤＵを備える、請求項１に記載の方法。
【請求項９】
前記終了メッセージが前記終了メッセージの第１の部分と前記終了メッセージの第２の部分とを備え、
前記終了メッセージの前記第１の部分と前記終了メッセージの前記第２の部分とが同じデータレートで送信される、請求項１に記載の方法。
【請求項１０】
送信機会（ＴＸＯＰ）の始めに第１のメッセージを送信するための手段と、ここにおいて、前記第１のメッセージが、前記ＴＸＯＰ内の固定された送信持続時間を示し、第１のデータレートで送信される第１の部分と、前記第１のデータレートよりも高い第２のデータレートで送信される第２の部分とを備える、
前記第１のデータレートで終了メッセージを送信するための手段と、ここにおいて、前記終了メッセージが、送信可（ＣＴＳ）メッセージまたは肯定応答（ＡＣＫ）メッセージを備える、
を備えるワイヤレス通信のための装置。
【請求項１１】
前記終了メッセージを送信するより前に第２のメッセージを受信するための手段
をさらに備える、請求項１０に記載の装置。
【請求項１２】
前記第２のメッセージが、前記第１のデータレートで送信される第３の部分と、前記第１のデータレートよりも高い第３のデータレートで送信される第４の部分とを備える、請求項１１に記載の装置。
【請求項１３】
前記終了メッセージを前記終了メッセージの送信機にアドレス指定するための手段
をさらに備える、請求項１０に記載の装置。
【請求項１４】
前記終了メッセージを前記送信機会の最新の受信側にアドレス指定するための手段
をさらに備える、請求項１０に記載の装置。
【請求項１５】
送信機会（ＴＸＯＰ）の始めに第１のメッセージを送信することと、ここにおいて、前記第１のメッセージが、前記ＴＸＯＰ内の固定された送信持続時間を示し、第１のデータレートで送信される第１の部分と、前記第１のデータレートよりも高い第２のデータレートで送信される第２の部分とを備え、前記第１のデータレートで終了メッセージを送信することと、ここにおいて、前記終了メッセージが、送信可（ＣＴＳ）メッセージまたは肯定応答（ＡＣＫ）メッセージを備える、を行うための送信機
を備えるワイヤレス通信のための装置。
【請求項１６】
前記終了メッセージを送信するより前に第２のメッセージを受信するための受信機
をさらに備える、請求項１５に記載の装置。
【請求項１７】
前記第２のメッセージが、前記第１のデータレートで送信される第３の部分と、前記第１のデータレートよりも高い第３のデータレートで送信される第４の部分とを備える、請求項１６に記載の装置。
【請求項１８】
送信機会（ＴＸＯＰ）の始めに第１のメッセージを送信することと、ここにおいて、前記第１のメッセージが、前記ＴＸＯＰ内の固定された送信持続時間を示し、第１のデータレートで送信される第１の部分と、前記第１のデータレートよりも高い第２のデータレートで送信される第２の部分とを備える、
前記第１のデータレートで終了メッセージを送信することと、ここにおいて、前記終了メッセージが、送信可（ＣＴＳ）メッセージまたは肯定応答（ＡＣＫ）メッセージを備える、
を少なくとも１つのデバイスに行わせるために、プロセッサによって実行可能な命令を記憶する、非一時的コンピュータ可読媒体。
【請求項１９】
前記命令が、
前記終了メッセージを送信するより前に第２のメッセージを受信すること
を前記少なくとも１つのデバイスに行わせるために、前記プロセッサによってさらに実行可能である、請求項１８に記載の非一時的コンピュータ可読媒体。
【請求項２０】
前記第２のメッセージが、前記第１のデータレートで送信される第３の部分と、前記第１のデータレートよりも高い第３のデータレートで送信される第４の部分とを備える、請求項１９に記載の非一時的コンピュータ可読媒体。
【手続補正２】
【補正対象書類名】明細書
【補正対象項目名】００６８
【補正方法】変更
【補正の内容】
【００６８】
[0076]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
送信機会（ＴＸＯＰ）中に第１のメッセージを送信することと、ここにおいて、前記第１のメッセージが、第１のデータレートで送信される第１の部分と、前記第１のデータレートよりも高い第２のデータレートで送信される第２の部分とを備える、
前記第１のデータレートで終了メッセージを送信することと
を備えるワイヤレス通信の方法。
［Ｃ２］
前記終了メッセージを送信するより前に第２のメッセージを受信すること
をさらに備える、Ｃ１に記載の方法。
［Ｃ３］
前記第２のメッセージが、前記第１のデータレートで送信される第３の部分と、前記第１のデータレートよりも高い第３のデータレートで送信される第４の部分とを備える、Ｃ２に記載の方法。
［Ｃ４］
前記終了メッセージが送信可（ＣＴＳ）メッセージを備える、Ｃ１に記載の方法。
［Ｃ５］
前記終了メッセージが肯定応答（ＡＣＫ）メッセージを備える、Ｃ１に記載の方法。
［Ｃ６］
前記第１のメッセージが前記ＴＸＯＰの始めに送信され、前記方法が、
前記第１のメッセージの持続時間フィールド中で前記終了メッセージの終わりまで拡張する持続時間を示すこと
をさらに備える、Ｃ１に記載の方法。
［Ｃ７］
前記終了メッセージを前記終了メッセージの送信機にアドレス指定すること
をさらに備える、Ｃ１に記載の方法。
［Ｃ８］
前記終了メッセージを前記送信機会の最新の受信側にアドレス指定すること
をさらに備える、Ｃ１に記載の方法。
［Ｃ９］
前記終了メッセージをグループアドレスにアドレス指定すること
をさらに備える、Ｃ１に記載の方法。
［Ｃ１０］
前記終了メッセージをランダムアドレスにアドレス指定すること
をさらに備える、Ｃ１に記載の方法。
［Ｃ１１］
前記第１のメッセージがアグリゲートＭＰＤＵ（Ａ−ＭＰＤＵ）を備え、前記第１の部分が前記Ａ−ＭＰＤＵのプリアンブルを備え、前記第２の部分が前記Ａ−ＭＰＤＵのＭＰＤＵを備える、Ｃ１に記載の方法。
［Ｃ１２］
前記終了メッセージが前記終了メッセージの第１の部分と前記終了メッセージの第２の部分とを備え、
前記終了メッセージの前記第１の部分と前記終了メッセージの前記第２の部分とが同じデータレートで送信される、Ｃ１に記載の方法。
［Ｃ１３］
送信機会（ＴＸＯＰ）中に第１のメッセージを送信するための手段と、ここにおいて、前記第１のメッセージが、第１のデータレートで送信される第１の部分と、前記第１のデータレートよりも高い第２のデータレートで送信される第２の部分とを備える、
前記第１のデータレートで終了メッセージを送信するための手段と
を備えるワイヤレス通信のための装置。
［Ｃ１４］
前記終了メッセージを送信するより前に第２のメッセージを受信するための手段
をさらに備える、Ｃ１３に記載の装置。
［Ｃ１５］
前記第２のメッセージが、前記第１のデータレートで送信される第３の部分と、前記第１のデータレートよりも高い第３のデータレートで送信される第４の部分とを備える、Ｃ１４に記載の装置。
［Ｃ１６］
前記終了メッセージが送信可（ＣＴＳ）メッセージを備える、Ｃ１３に記載の装置。
［Ｃ１７］
前記終了メッセージが肯定応答（ＡＣＫ）メッセージを備える、Ｃ１３に記載の装置。
［Ｃ１８］
前記第１のメッセージが前記ＴＸＯＰの始めに送信され、前記装置が、
前記第１のメッセージの持続時間フィールド中で前記終了メッセージの終わりまで拡張する持続時間を示すための手段
をさらに備える、Ｃ１３に記載の装置。
［Ｃ１９］
前記終了メッセージを前記終了メッセージの送信機にアドレス指定するための手段
をさらに備える、Ｃ１３に記載の装置。
［Ｃ２０］
前記終了メッセージを前記送信機会の最新の受信側にアドレス指定するための手段
をさらに備える、Ｃ１３に記載の装置。
［Ｃ２１］
送信機会（ＴＸＯＰ）中に第１のメッセージを送信することと、ここにおいて、前記第１のメッセージが、第１のデータレートで送信される第１の部分と、前記第１のデータレートよりも高い第２のデータレートで送信される第２の部分とを備える、前記第１のデータレートで終了メッセージを送信することと、を行うための送信機
を備えるワイヤレス通信のための装置。
［Ｃ２２］
前記終了メッセージを送信するより前に第２のメッセージを受信するための受信機
をさらに備える、Ｃ２１に記載の装置。
［Ｃ２３］
前記第２のメッセージが、前記第１のデータレートで送信される第３の部分と、前記第１のデータレートよりも高い第３のデータレートで送信される第４の部分とを備える、Ｃ２２に記載の装置。
［Ｃ２４］
前記終了メッセージが送信可（ＣＴＳ）メッセージを備える、Ｃ２１に記載の装置。
［Ｃ２５］
前記終了メッセージが肯定応答（ＡＣＫ）メッセージを備える、Ｃ２１に記載の装置。
［Ｃ２６］
前記第１のメッセージが前記ＴＸＯＰの始めに送信され、前記装置が、
前記第１のメッセージの持続時間フィールド中で前記終了メッセージの終わりまで拡張する持続時間を示すように構成されたメッセージ持続時間セレクタ
をさらに備える、Ｃ２１に記載の装置。
［Ｃ２７］
送信機会（ＴＸＯＰ）中に第１のメッセージを送信することと、ここにおいて、前記第１のメッセージが、第１のデータレートで送信される第１の部分と、前記第１のデータレートよりも高い第２のデータレートで送信される第２の部分とを備える、
前記第１のデータレートで終了メッセージを送信することと
を少なくとも１つのデバイスに行わせるために、プロセッサによって実行可能な命令を記憶する、非一時的コンピュータ可読媒体。
［Ｃ２８］
前記命令が、
前記終了メッセージを送信するより前に第２のメッセージを受信すること
を前記少なくとも１つのデバイスに行わせるために、前記プロセッサによってさらに実行可能である、Ｃ２７に記載の非一時的コンピュータ可読媒体。
［Ｃ２９］
前記第２のメッセージが、前記第１のデータレートで送信される第３の部分と、前記第１のデータレートよりも高い第３のデータレートで送信される第４の部分とを備える、Ｃ２８に記載の非一時的コンピュータ可読媒体。
［Ｃ３０］
前記終了メッセージが送信可（ＣＴＳ）メッセージを備える、Ｃ２７に記載の非一時的コンピュータ可読媒体。